(57)【要約】      （修正有）【課題】高い固持脚が設けられるハウジングを含む電気コネクタを提供する。【解決手段】本電気コネクタ１００は、絶縁性本体と、前記絶縁性本体に挿入される複数の導電端子２と、前記絶縁性本体を遮蔽するハウジング３と、を備える。前記ハウジング３は、相手面３０と、底壁と、前記底壁から上向きに延在する側壁３３，３４と、固持脚３２５と、を含む。ハウジング３には、前記底壁に形成される第１開口３２１と、側壁３３，３４に形成されて第１開口３２１を貫通する第２開口３３１と、を含むスロットが形成される。固持脚３２５は、ハウジング３の材料を前記スロットから逃がして下向きに折り曲げることによって形成される。【選択図】図１
0003154945.tif 000002
【実用新案登録請求の範囲】
【請求項１】
絶縁性本体と、
前記絶縁性本体に挿入される複数の導電端子と、
前記絶縁性本体を遮蔽し、相手面と、底壁と、底壁から上向きに延在する側壁と、固持脚とを含むハウジングと、
を備え、前記ハウジングには、前記底壁に形成される第１開口と、前記側壁に形成されて前記第１開口を貫通する第２開口と、を含むスロットが形成され、前記固持脚は、前記ハウジングの材料を前記スロットから逃がして下向きに折り曲げることによって形成されることを特徴とする電気コネクタ。
【請求項２】
前記固持脚が前記ハウジングの底壁と連接することを特徴とする請求項１に記載の電気コネクタ。
【請求項３】
前記第１開口が、平行に対向する一対の第１側辺と、前記一対の第１側辺を連接する第１連接辺と、を含み、
前記第２開口が、平行に対向する一対の第２側辺と、前記一対の第２側辺を連接する第２連接辺と、を含み、
前記第１連接辺と第２連接辺とが対向し、前記固持脚は前記スロットの第１連接辺から折り曲がることを特徴とする請求項１に記載の電気コネクタ。
【請求項４】
前記固持脚が前記相手面に対して垂直に配置される片状の構造に形成されることを特徴とする請求項３に記載の電気コネクタ。
【請求項５】
前記ハウジングの側壁が、対向する第１側壁および第２側壁を含み、
前記第１側壁が、前記底壁に対して傾斜する傾斜壁を含み、
前記第２側壁が前記底壁に対して直立することを特徴とする請求項３に記載の電気コネクタ。
【請求項６】
前記スロットが、第１スロット及び第２スロットを含み、
前記第１スロットの第２開口が、前記第１側壁の傾斜壁に形成され、
前記第２スロットの第２開口が、前記第２側壁に形成されることを特徴とする請求項５に記載の電気コネクタ。
【考案の詳細な説明】
【技術分野】
【０００１】
本考案は、電気コネクタに関し、特に、固持脚を含むハウジングを具備する電気コネクタに関するものである。
【背景技術】
【０００２】
従来技術の電気コネクタは、絶縁性本体と、絶縁性本体に固着される複数の導電端子と、絶縁性本体を覆うハウジングと、を備える。ハウジングには相手プラグを挿入するための挿入穴が形成される。ハウジングの底壁には、下向きに延在して回路基板に固持される固持脚が設けられる。電気コネクタの収納穴は通常の深度より深い深度まで配置されるため、固持脚は通常の長さより長い長さを具備する必要がある。
【先行技術文献】
【特許文献】
【０００３】
中国特許第２５０８４３２号明細書
【考案の概要】
【０００４】
小型化された電気コネクタはハウジングの幅が狭い。ハウジングの固持脚はハウジングの底壁の材料を折曲げることによって製造される。これにより、ハウジングの固持脚は充分な長さを具備しない。
【考案が解決しようとする課題】
【０００５】
そこで本考案は、上述される従来技術の問題に鑑み、長い固持脚が設けられるハウジングを具備する電気コネクタを提供することを目的とする。
【課題を解決するための手段】
【０００６】
前記目的を達成するために、本考案の電気コネクタは、絶縁性本体と、前記絶縁性本体に挿入される複数の導電端子と、前記絶縁性本体を遮蔽するハウジングと、を備える。前記ハウジングは、相手面と、底壁と、前記底壁から上向きに延在する側壁と、固持脚と、を含む。前記ハウジングには、前記底壁に形成される第１開口と、前記側壁に形成されて前記第１開口を貫通する第２開口と、を含むスロットが形成される。前記固持脚は、前記ハウジングの材料を前記スロットから逃がして下向きに折り曲げることによって形成される。
【考案の効果】
【０００７】
従来技術と比べると、本考案は以下の長所を有する。本考案の電気コネクタのハウジングの固持脚は、ハウジングの材料をスロットから逃がして下向きに折り曲げることによって形成される。ハウジングのスロットがハウジングの底壁から側壁まで延在する。これにより、固持脚が充分な長さを有する。
【図面の簡単な説明】
【０００８】
【図１】本考案の電気コネクタの組立図である。
【図２】図１に示した電気コネクタを別の角度から見た組立図である。
【図３】図１に示した電気コネクタの分解斜視図である。
【図４】図３に示した電気コネクタを別の角度から見た組立図である。
【考案を実施するための形態】
【０００９】
図１〜図４を参照すると、回路基板（図示せず）に装着されて相手プラグ（図示せず）が挿入される電気コネクタ１００は、絶縁性本体１と、絶縁性本体１に固着される複数の導電端子２と、絶縁性本体１を覆うハウジング３とを備える。
【００１０】
絶縁性本体１は、前表面１１１及び後表面１１２を含む基部１１と、基部１１の前表面から突出する舌板１２とを備える。舌板１２の上表面および下表面にはそれぞれ複数の端子溝１２２が形成される。舌板１２の両側には、下向きに延在する一対の阻止部１２１が設けられる。基部１１には、基部１１の前表面１１１および後表面１１２を貫通して、前記端子溝１２２と対応する複数の収納溝１１３が形成される。基部１１の両側には一対の係合部１１５が設けられる。各係合部１１５の下には係止溝１１６が形成される。基部１１の底部には底板１３が設けられる。底板１３は舌板１２と平行に延在する。底板１３と基部１１の底面との間にはギャップ１４が形成される。絶縁性本体１の底板１３には下向きに延在する固定柱１３２が設けられる。
【００１１】
各導電端子２は、複数の第１端子２１と、複数の第２端子２２と、を備える。各導電端子２は、固持部２４と、固持部２４から前向きに突出する接触部２３と、固持部２４から折り曲げられた折曲部２５と、折曲部２５から後向きに延在する半田接続部２６と、を備える。第１端子２１の折曲部２５は直立し、第２端子２２の折曲部２５は傾斜する。
【００１２】
ハウジング３は金属材料によってパンチされる。ハウジング３は、相手面３０と、頂壁３１と、頂壁３１と対向する底壁３２と、第１側壁３３および第２側壁３４と、を有する。第１側壁３３は傾斜壁３３０を含む。第２側壁３４は直立に配置される。ハウジング３の両側には、それぞれスロット３６が形成される。スロット３６は、第１スロット及び第２スロット（標号が示せず）を含む。第１スロット３６は、底壁３２に形成される第１開口３２１と、第１側壁３３の傾斜壁３３０に形成されて第１開口３２１と貫通する第２開口３３１と、を備える。第１開口３２１は、平行に対向する一対の第１側辺３２１１と、一対の第１側辺３２１１を連接する第１連接辺３２１２と、を備える。第２開口３３１は、平行に対向する一対の第２側辺３３１１と、一対の第２側辺３３１１を連接する第２連接辺３３１２と、を備える。第１連接辺３２１２と第２連接辺３３１２とは対向する。第２スロット３６の第１開口３２１は、底壁３２に形成され、第２開口３３１は第２側壁３４に形成される。ハウジング３は一対の第１固持脚３２５を有する。ハウジング３の金属材料をスロット３６から逃がして下向きに折り曲げることによって、第１固持脚３２５が製造される。ハウジング３の前面には相手プラグを導入するための導入部３７が設けられる。ハウジング３の後端には、一対の係合溝３１５と、一対の係止片３３３と、を有する。ハウジング３は、第１側壁３３、第２側壁３４から下向きに延在する第２固持脚３３５が設けられる。
【００１３】
図１〜図４に示すように、電気コネクタ１００を取り付ける時、先ず、複数の導電端子２が絶縁性本体１に挿入される。導電端子２の第１端子２１、第２端子２２が舌板１２の上側、下側に装着される。導電端子２の接触部２３が絶縁性本体１の端子溝１２２に挿入され、固持部２４が収納溝１１３に挿入され、半田接続部２６が絶縁性本体１から延在する。ハウジング３が絶縁性本体１を遮蔽する。ハウジング３の底壁３２が絶縁性本体１のギャップ１４に挿入される。絶縁性本体１の舌板１２がハウジング３の収納穴３５に位置する。これにより、電気コネクタ１００が一体に製造される。絶縁性本体１の係合部１１５がハウジング３の係合溝３１５と係合する。絶縁性本体１の係止溝１１６がハウジング３の係止片３３３と係止する。電気コネクタ１００は、第１固持脚３２５及び第２固持脚３３５によって、回路基板に固着される。
【００１４】
以上、本考案について好ましい実施形態を参照して詳細に説明したが、実施形態はあくまでも例示的なものであり、これらに限定されるものではない。また上述の説明は、本考案に基づき成し得る細部の修正或いは変更など、いずれも本考案の技術的範囲に属するものとする。
【符号の説明】
【００１５】
１００  電気コネクタ
１  絶縁性本体
１１  基部
１１１  前表面
１１２  後表面
１１３  収納溝
１１５  係合部
１１６  係止溝
１２  舌板
１２１  阻止部
１２２  端子溝
１３  底板
１３２  固定柱
１４  ギャップ
２  導電端子
２１  第１端子
２２  第２端子
２３  接触部
２４  固持部
２５  折曲部
２６  半田接続部
３  ハウジング
３０  相手面
３１  頂壁
３１５  係合溝
３２  底壁
３２１  第１開口
３２１１  第１側辺
３２１２  第１連接辺
３２５  第１固持脚
３３  第１側壁
３３０  傾斜壁
３３１  第２開口
３３１１  第２側辺
３３１２  第２連接辺
３３３  係止片
３３５  第２固持脚
３４  第２側壁
３５  収納穴
３６  スロット
３７  導入部
【図１】
0003154945.tif 000003
【図２】
0003154945.tif 000004
【図３】
0003154945.tif 000005
【図４】
0003154945.tif 000006